(57)【特許請求の範囲】
【請求項１】
検索したい見出し語情報を入力する見出し語入力手段、見出し語情報と関連付けた辞書情報を複数記憶した辞書情報記憶手段、上記見出し語入力手段で入力した見出し語情報に基づいて上記辞書情報記憶手段を検索し、該見出し語情報と関連付けられた辞書情報を読出す検索手段、上記検索手段より読出される辞書情報を出力する出力手段、上記見出し語入力手段で入力した見出し語情報及び上記検索手段で得た辞書情報を少なくとも外部機器に送信する送信手段、を備えた電子辞書と、
文字情報を含むレコードを蓄積したデータベースサーバと、
画像信号を入力する画像入力手段、上記画像入力手段で入力した画像信号に対応する光像を形成して投影する投影手段、上記電子辞書の送信手段から送られてくる見出し語情報及び辞書情報を受信する受信手段、ネットワークを介して上記データベースと接続するネットワーク接続手段、上記受信手段で受信した見出し語を上記ネットワーク接続手段を介して上記データベースサーバに送信し、当該送信に応答して上記データベースサーバから送られてくるレコードを受信する通信制御手段、及び、上記受信手段で上記電子辞書から受信した見出し語情報と上記通信制御手段で上記データベースサーバから受信したレコードとに基づいて形成する画像中、上記電子辞書からの情報の範囲と上記データベースサーバからのレコードの範囲を可変設定可能とし、上記投影手段で投影させる投影制御手段、を備えた投影装置と、
を有したことを特徴とする投影システム。
【請求項２】
画像信号を入力する画像入力手段と、
上記画像入力手段で入力した画像信号に対応する光像を形成して投影する投影手段と、
外部の電子辞書から送られてくる見出し語情報及び辞書情報を受信する受信手段と、
外部に敷設されたネットワークを介して、文字情報を含むレコードを蓄積したデータベースと接続するネットワーク接続手段と、
上記受信手段で受信した見出し語を上記ネットワーク接続手段を介して上記データベースサーバに送信し、当該送信に応答して上記データベースサーバから送られてくるレコードを受信する通信制御手段と、
上記受信手段で上記電子辞書から受信した見出し語情報と上記通信制御手段で上記データベースサーバから受信したレコードとに基づいて形成する画像中、上記電子辞書からの情報の範囲と上記データベースサーバからのレコードの範囲を可変設定可能とし、上記投影手段で投影させる投影制御手段と、
を具備したことを特徴とする投影装置。
【請求項３】
画像信号を入力する画像入力部、上記画像入力部で入力した画像信号に対応する光像を形成して投影する投影部、外部の電子辞書から送られてくる見出し語情報を受信する受信部、及び外部に敷設されたネットワークを介して、文字情報を含むレコードを蓄積したデータベースと接続するネットワーク接続部を備えた投影装置が内蔵するコンピュータが実行するプログラムであって、
上記コンピュータを、
上記受信部で受信した見出し語を上記ネットワーク接続部を介して上記データベースサーバに送信し、当該送信に応答して上記データベースサーバから送られてくるレコードを受信する通信制御手段、及び
上記受信部で上記電子辞書から受信した見出し語情報と上記通信制御部で上記データベースサーバから受信したレコードとに基づいて形成する画像中、上記電子辞書からの情報の範囲と上記データベースサーバからのレコードの範囲を可変設定可能とし、上記投影部で投影させる投影制御手段
として機能させるためのプログラム。
【発明の詳細な説明】
【技術分野】
【０００１】
本発明は、電子辞書の使用環境を拡大するのに好適な投影システム、投影装置及びプログラムに関する。
【背景技術】
【０００２】
近時、数１０〜１００以上の各種辞書データを記憶し、必要により任意の辞書データを検索可能な電子辞書が広く一般に普及している。
【０００３】
この種の電子辞書において、辞書データをユーザの好みに合わせて出力・印刷することができる電子辞書及び電子辞書サーバを提供するべく、語句の検索結果に対してユーザが出力・印刷希望部分を選択し、選択した部分以外のスペースについて字詰め表示を行なうようにした技術が考えられている。（例えば、特許文献１）
【先行技術文献】
【特許文献】
【０００４】
【特許文献１】特開２００７−２１９８９５号公報
【発明の概要】
【発明が解決しようとする課題】
【０００５】
上記特許文献に記載された技術を含めて電子辞書では、容量が限られている表示部でより多くの情報を表示するための工夫がなされると共に、表示部自体が大型化、カラー化、そしてタッチパネル化されて、表現力の向上が図られている。
【０００６】
電子辞書は基本的にスタンドアローンでの使用を前提としたものであり、記憶している辞書データ以外の情報を得ることはできない。この点は、例えばその電子辞書の機種に対応して用意されているオプションの辞書データを追加して記憶させることである程度は対処できるものの、オプションの辞書データは大変高価である。また、携帯用の機器として表示部の大きさには限界があるため、多くの情報や大きな画像を一度に表示することができないという不具合がある。
【０００７】
本発明は上記のような実情に鑑みてなされたもので、その目的とするところは、電子辞書の使用環境を拡大し、より多くのユーザ間で知識を共有することが可能な投影システム、投影装置及びプログラムを提供することにある。
【課題を解決するための手段】
【０００８】
請求項１記載の発明は、検索したい見出し語情報を入力する見出し語入力手段、見出し語情報と関連付けた辞書情報を複数記憶した辞書情報記憶手段、上記見出し語入力手段で入力した見出し語情報に基づいて上記辞書情報記憶手段を検索し、該見出し語情報と関連付けられた辞書情報を読出す検索手段、上記検索手段より読出される辞書情報を出力する出力手段、上記見出し語入力手段で入力した見出し語情報及び上記検索手段で得た辞書情報を少なくとも外部機器に送信する送信手段、を備えた電子辞書と、文字情報を含むレコードを蓄積したデータベースサーバと、画像信号を入力する画像入力手段、上記画像入力手段で入力した画像信号に対応する光像を形成して投影する投影手段、上記電子辞書の送信手段から送られてくる見出し語情報及び辞書情報を受信する受信手段、ネットワークを介して上記データベースと接続するネットワーク接続手段、上記受信手段で受信した見出し語を上記ネットワーク接続手段を介して上記データベースサーバに送信し、当該送信に応答して上記データベースサーバから送られてくるレコードを受信する通信制御手段、及び、上記受信手段で上記電子辞書から受信した見出し語情報と上記通信制御手段で上記データベースサーバから受信したレコードとに基づいて形成する画像中、上記電子辞書からの情報の範囲と上記データベースサーバからのレコードの範囲を可変設定可能とし、上記投影手段で投影させる投影制御手段、を備えた投影装置と、を有したことを特徴とする。
【００１０】
請求項２記載の発明は、画像信号を入力する画像入力手段と、上記画像入力手段で入力した画像信号に対応する光像を形成して投影する投影手段と、外部の電子辞書から送られてくる見出し語情報及び辞書情報を受信する受信手段と、外部に敷設されたネットワークを介して、文字情報を含むレコードを蓄積したデータベースと接続するネットワーク接続手段と、上記受信手段で受信した見出し語を上記ネットワーク接続手段を介して上記データベースサーバに送信し、当該送信に応答して上記データベースサーバから送られてくるレコードを受信する通信制御手段と、上記受信手段で上記電子辞書から受信した見出し語情報と上記通信制御手段で上記データベースサーバから受信したレコードとに基づいて形成する画像中、上記電子辞書からの情報の範囲と上記データベースサーバからのレコードの範囲を可変設定可能とし、上記投影手段で投影させる投影制御手段と、を具備したことを特徴とする。
【００１１】
請求項３記載の発明は、画像信号を入力する画像入力部、上記画像入力部で入力した画像信号に対応する光像を形成して投影する投影部、外部の電子辞書から送られてくる見出し語情報を受信する受信部、及び外部に敷設されたネットワークを介して、文字情報を含むレコードを蓄積したデータベースと接続するネットワーク接続部を備えた投影装置が内蔵するコンピュータが実行するプログラムであって、上記コンピュータを、上記受信部で受信した見出し語を上記ネットワーク接続部を介して上記データベースサーバに送信し、当該送信に応答して上記データベースサーバから送られてくるレコードを受信する通信制御手段、及び上記受信部で上記電子辞書から受信した見出し語情報と上記通信制御部で上記データベースサーバから受信したレコードとに基づいて形成する画像中、上記電子辞書からの情報の範囲と上記データベースサーバからのレコードの範囲を可変設定可能とし、上記投影部で投影させる投影制御手段として機能させる。
【発明の効果】
【００１２】
本発明によれば、電子辞書の使用環境を拡大し、より多くのユーザ間で知識を共有することが可能となる。
【図面の簡単な説明】
【００１３】
【図１】本発明の一実施形態に係る投影システム全体の構成を示す斜視図。
【図２】同実施形態に係る電子手帳の回路構成を示すブロック図。
【図３】同実施形態に係るデータプロジェクタの回路構成を示すブロック図。
【図４】同実施形態に係る電子手帳及びデータプロジェクタ双方の処理内容を示すフローチャート。
【図５】同実施形態に係る電子手帳の表示部での表示例を示す図。
【図６】同実施形態に係るデータプロジェクタ装置によるスクリーンでの投影例を示す図。
【発明を実施するための形態】
【００１４】
以下本発明の一実施形態について図面を参照して詳細に説明する。
【００１５】
図１は、本実施形態に係る投影システム全体の構成を示す図である。同図中、電子辞書１がデータプロジェクタ２とＵＳＢケーブルＵＣで接続される。
【００１６】
電子辞書１では、見出し語の入力及びその入力した見出し語に対する検索結果としての辞書情報の表示が行なわれる。
【００１７】
上記データプロジェクタ２は、スクリーンＳＣを投影対象として、電子辞書１から得られる辞書情報を含む画像を投影する。このデータプロジェクタ２に対して、ＬＡＮケーブルＬＣ、構内ＬＡＮ（Ｌｏｃａｌ  Ａｒｅａ  Ｎｅｔｗｏｒｋ）で構成するネットワークＮを介して、データベースサーバ３が接続される。
【００１８】
このデータベースサーバ３は、一般的にクライアントサーバシステムにおけるデータベースエンジンである。すなわちデータベースサーバ３は、ネットワークＮに接続される、上記データプロジェクタ２を含むクライアント端末からの文字情報によるリクエストに応えて、データベースファイルを構成する、多数蓄積しているレコードから文字情報が対応するものを検索、抽出し、抽出したレコードの情報を当該クライアント端末に対して返送する。
【００１９】
次に図２により上記電子辞書１の電子回路の機能構成を説明する。  
この電子辞書１は、記憶媒体に記録されたプログラムにより動作が制御されるコンピュータにより構成されるもので、ＣＰＵ１１を備える。
【００２０】
ＣＰＵ１１は、システムバスＳＢ１を介して、フラッシュメモリで構成されるプログラムメモリ１２に予め記憶された装置制御プログラムに応じて、ＤＲＡＭで構成されるメインメモリ１３を作業領域として回路各部の動作を制御する。
【００２１】
上記プログラムメモリ１２に記憶された装置制御プログラムは、キー入力部１４からのユーザ操作に応じた入力信号に応じて起動される。
【００２２】
上記ＣＰＵ１１には、上記システムバスＳＢ１を介して、上記プログラムメモリ１２、メインメモリ１３、キー入力部１４の他に、表示駆動部１５、タブレット制御部１６、及びＵＳＢインターフェイス１７が接続される。
【００２３】
プログラムメモリ１２が記憶する装置制御プログラムとしては、辞書データベース（ＤＢ）１２ａと各種処理プログラム１２ｂがある。
【００２４】
各種処理プログラム１２ｂは、当該電子辞書１の全体の動作を司るシステムプログラムや、ＵＳＢインターフェイス１７を介してパーソナルコンピュータやデータプロジェクタ２等の外部機器とデータ通信するための通信プログラム（ＵＳＢドライバ）等を含む。
【００２５】
辞書データベース１２ａは、複数種類の辞書コンテンツ１２ａ１，１２ａ２，…と、上記各辞書コンテンツ１２ａ１，１２ａ２，…の名称を表示するための辞書名情報１２ａＮとを有する。
【００２６】
辞書コンテンツ１２ａ１，１２ａ２，…としては、例えば「国語辞典」「英和辞典」「英語類語辞典」「和英辞典」「百科事典」など、種類の異なる辞書データが予め、あるいはダウンロードされて複数記憶される。
【００２７】
各辞書コンテンツ１２ｂ１，１２ｂ２，…は、それぞれの言語等に応じた所定の順番で配列された見出し語Ｗと、各見出し語Ｗに対応付けられた当該見出し語の訳語・意味内容・例文（用例）などを説明するための辞書情報Ｄを有する
辞書名情報１２ａＮは、上記辞書コンテンツ１２ａ１，１２ａ２，…それぞれと全辞書コンテンツとを表す操作ボタン用の簡略表示データであり、例えば「国語」「英和」「英語類語」「和英」「百科」「全辞書」など所定の矩形領域に簡略化した文字列を配置した構成をとる。
【００２８】
各種処理プログラム１２ｂは、選択された辞書コンテンツでの検索文字列の入力に応じた見出し語検索処理と、指定の見出し語に対応した各種説明情報の読出し表示処理、また検索対象として選択された辞書コンテンツで入力した検索文字列を切替先の辞書コンテンツでの検索文字列として適切に引継いで入力する処理など、上記辞書データベース１２ａに基づく検索処理全般を制御するためのプログラムである。
【００２９】
上記キー入力部１４は、文字キー、数字キー、記号キー、各種機能キー等を備える。各種機能キーには、表示ポインタの位置を上下左右に移動させるためのカーソルキーや、入力した見出し語に対する訳、検索を実行させるための「訳／決定」キーなどを含む。
【００３０】
表示駆動部１５は、ＣＰＵ１１から与えられる表示データ及びバックライト制御信号に基づいて表示部１８を駆動する。表示部１８は、バックライトを備えた半透過型のカラー液晶表示パネルで構成される。
【００３１】
この表示部１８上には、透明電極層を形成したタブレット入力部１９が一体にして設けられる。このタブレット入力部１９に、ここでは図示しないスタライスペン等で筆記操作がなされると、その操作信号をタブレット制御部１６がサンプリングして時系列の２次元座標データに変換し、変換したデータをＣＰＵ１１へ送出する。
【００３２】
上記ＵＳＢインターフェイス１７は、上述したようにパーソナルコンピュータ等の外部機器をＵＳＢケーブルＵＣを介して接続することで、例えば当該パーソナルコンピュータがインターネット利用環境にあれば、該インターネット経由で各種プログラムをダウンロードして、プログラムメモリ１２が記憶する各種処理プログラム１２ｂのバージョンアップや辞書コンテンツ１２ａ１，１２ａ２，…の追加等に対応する。
【００３３】
またこのＵＳＢインターフェイス１７を介して、上記図１で示した如くデータプロジェクタ２とＵＳＢケーブルＵＣにより接続することで、入力した見出し語情報と、それに基づいて検索した結果得られた辞書情報とを合わせてデータプロジェクタ２に出力する。
【００３４】
次に、図３により上記データプロジェクタ２の回路構成を説明する。  
図３は、ＤＬＰ（Ｄｉｇｉｔａｌ  Ｌｉｇｈｔ  Ｐｒｏｃｅｓｓｉｎｇ）（登録商標）方式を採用したデータプロジェクタ２が備える電子回路の機能構成を示すブロック図である。
【００３５】
図中、２１は入力部である。この入力部２１は、例えばビデオ入力端子、ＲＧＢ入力端子、及びＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格の画像／音声入力端子を有し、有線接続された外部機器からの画像信号及び音声信号を入力する。
【００３６】
入力部２１から入力された各種規格の画像信号は、システムバスＳＢ２を介し、投影画像処理部２２に入力される。
【００３７】
投影画像処理部２２は、入力される画像信号を投影に適した所定のフォーマットの画像信号に統一し、内蔵する表示用のバッファメモリに適宜書込んだ後に、書込んだ画像信号に応じて、上記所定のフォーマットに従ったフレームレート、例えば６０［フレーム／秒］と色成分の分割数、及び表示階調数を乗算した、より高速な時分割駆動により表示素子２３に原色画像を表示させる。
【００３８】
この表示素子２３は、マイクロミラー素子で構成する。当該マイクロミラー素子は、アレイ状に配列された複数、例えばＸＧＡ（横１０２４画素×縦７６８画素）個の微小ミラーの各傾斜角度を個々に高速でオン／オフ動作して表示動作することで、その反射光により光像を形成する。
【００３９】
一方で、光源部２４から時分割でＲ，Ｇ，Ｂの原色光が循環的に出射される。この光源部２４からの原色光が、ミラー２５で全反射して上記表示素子２３に照射される。
【００４０】
そして、表示素子２３での反射光で光像が形成され、形成された光像が投影レンズユニット２６を介して、投影対象となる上記図１のスクリーンＳＣに投影される。
【００４１】
上記光源部２４は、赤色（Ｒ）光、青色（Ｇ）光、及び青色（Ｂ）光を発する３色の半導体発光素子、例えばＬＥＤ（発光ダイオード）とそれらの光学系を備え、光源駆動部２７の駆動に基づいてＲ，Ｇ，Ｂの各原色光を時分割で循環的に発生する。
【００４２】
ここで光源駆動部２７は、上記投影画像処理部２２から与えられる画像信号に同期したタイミング信号と、後述するＣＰＵ２８の制御に応じて光源部２４を駆動して発光させる。
【００４３】
上記各回路の動作すべてをＣＰＵ２８が制御する。このＣＰＵ２８は、メインメモリ２９及びプログラムメモリ３０と接続される。上記メインメモリ２９は、ＤＲＡＭで構成され、このＣＰＵ２８のワークメモリとして機能する。
【００４４】
上記プログラムメモリ３０は、電気的書換可能な不揮発性メモリ、例えばフラッシュメモリで構成され、ＣＰＵ２８が実行する動作プログラムや、後述するＵＳＢ接続のためのＵＳＢドライバ及びＬＡＮ接続のためのＬＡＮドライバ等の各ドライバプログラム、その他、各種定型データ等を記憶する。
【００４５】
ＣＰＵ２８は、プログラムメモリ３０に記憶されている動作プログラムやデータ等を読出し、メインメモリ２９に展開して記憶させた上で、当該プログラムを実行することにより、このデータプロジェクタ２を統括して制御する。
【００４６】
ＣＰＵ２８は、操作部３１からのキー操作信号に応じて各種投影動作を実行する。  
この操作部３１は、データプロジェクタ２の本体に設けられるキー操作部と、このデータプロジェクタ２専用の図示しないリモートコントローラからの赤外光を受光するレーザ受光部とを含む。
【００４７】
ここでは図示しないが、上記本体のキー操作部、及びリモートコントローラの具体的なキー構成としては、例えば電源キー、フォーカス操作キー、ズーム操作キー、自動台形補正キー、カーソルキー、決定キー、投影画像中のポインタの表示／消灯キー等を備えるものとする。
【００４８】
操作部３１は、ユーザが本体のキー操作部またはリモートコントローラで操作したキーに基づくキー操作信号をＣＰＵ２８へ出力する。
【００４９】
上記ＣＰＵ２８はさらに、上記システムバスＳＢ２を介してＵＳＢインターフェイス（Ｉ／Ｆ）３２、ＬＡＮインターフェイス（Ｉ／Ｆ）３３、音声駆動部３４とも接続される。
【００５０】
ＵＳＢインターフェイス３２は、例えばパーソナルコンピュータ等の外部機器をＵＳＢケーブルＵＣを介して接続することで、例えば当該パーソナルコンピュータがインターネット利用環境にあれば、該インターネット経由で各種プログラムをダウンロードして、プログラムメモリ３０が記憶する各種動作プログラムのバージョンアップ等に対応する。
【００５１】
またこのＵＳＢインターフェイス３２を介して、上記図１で示した如く電子辞書１とＵＳＢケーブルＵＣにより接続することで、ＵＳＢインターフェイス３２は電子辞書１から送られてくる見出し語情報及び辞書情報を受信してＣＰＵ２８へ送出する。
【００５２】
ＬＡＮインターフェイス３３は、例えばイーサネット（登録商標）の１０００ＢＡＳＥ−Ｔ／ＴＸ規格に基づいてこのデータプロジェクタ２とＬＡＮケーブルＬＣで接続される外部機器とのインターフェイスを行なうものである。
【００５３】
本実施形態では、上記図１で示したようにＬＡＮインターフェイス３３によりＬＡＮケーブルＬＣを介してネットワークＮ、データベースサーバ３と接続することで、データベースサーバ３に蓄積されているレコードを読出してこのデータプロジェクタ２で利用できる。
【００５４】
上記音声駆動部３４は、ＰＣＭ音源等の音源回路を備え、投影動作時に与えられる音声信号をアナログ化し、スピーカ部３５を駆動して放音させ、あるいは必要によりビープ音等を発生させる。  
なお、データベースサーバ３の構成については、一般的な周知の物である物として、その図示及び説明を省略する。
【００５５】
次に上記実施形態の動作について説明する。  
ここでは、上記図１に示したように電子辞書１とデータベースサーバ３とをデータプロジェクタ２に接続したシステム構成を実現した状態での動作について説明する。
【００５６】
図４は、データプロジェクタ２と電子辞書１相互の処理内容を示すフローチャートである。電子辞書１での処理については、ＣＰＵ１１がプログラムメモリ１２に記憶されている各種処理プログラム１２ｂを読出してメインメモリ１３を用いて実行する。同様に、データプロジェクタ２での処理については、ＣＰＵ２８がプログラムメモリ３０に記憶されている動作プログラムを読出してメインメモリ２９を用いて実行する。
【００５７】
電子辞書１において、ＣＰＵ１１はまずＵＳＢインターフェイス１７での接続状態によりＵＳＢケーブルＵＣを介して外部機器としてのデータプロジェクタが接続されているか否かを、例えばホストコントローラとしてＥＨＣＩ（Ｅｎｈａｎｃｅｄ  Ｈｏｓｔ  Ｃｏｎｔｒｏｌｌｅｒ  Ｉｎｔｅｒｆａｃｅ）（登録商標）規格に則った機種属性ＩＤ情報が用いられているか否かにより判断する（ステップＳ３０１）。
【００５８】
ここでデータプロジェクタが接続されていないと判断した場合には、電子辞書１単体での通常の辞書検索動作を行なうが、本実施形態ではその説明を省略する。
【００５９】
また、上記ステップＳ３０１でデータプロジェクタが接続されていると判断すると、ＣＰＵ１１は次いで辞書検索動作において、キー入力部１４により見出し語に対する辞書情報の検索を実行するための「訳／実行」キーが操作されるのを待機する（ステップＳ３０２）。
【００６０】
そして、キー入力部１４で「訳／実行」キーが操作されると上記ステップＳ３０１でそれを判断し、入力された見出し語に基づいてプログラムメモリ１２の辞書データベース１２ａを検索し、検索結果としての辞書情報を表示部１８で表示させる（ステップＳ３０３）。
【００６１】
この際、予めプログラムメモリ１２の辞書データベース１２ａに記憶されている辞書コンテンツ１２ａ１，１２ａ２，…のうちのいずれかが選択されている場合にはその選択された辞書コンテンツ内で、また選択されていない場合には全辞書コンテンツを対象として検索を行なう。
【００６２】
図５は、「英和」辞書の辞書コンテンツにより見出し語「ｈｏｒｓｅ」を入力して検索を実行した結果、表示部１８で表示される辞書情報の例を示す。同図に示すように、「名詞」の「ｈｏｒｓｅ」には、「１．馬、ウマ科の動物」「２．騎兵、騎兵隊」「３．脚のある物かけ、脚立」「４．鞍馬」等、４つを超える意味があることが継続マークＣＴ１により表示されている。
【００６３】
このように、この電子辞書１内においても、入力した見出し語に対して表示部１８の表示容量を超える辞書データが記憶されていることが理解できる。
【００６４】
したがって、通常電子辞書１を単体で使用する場合には、上記継続マークＣＴ１に従ってキー入力部１４の下方向のカーソルキーを操作するか、あるいはキー入力部１４に表示される文字のサイズを切換えるためのキーがあれば一時的に文字サイズを小さくすることで、より多くの辞書データを一度に表示部１８に表示させるなどして、表示させていない範囲の辞書情報を表示させる必要がある。
【００６５】
上記のように表示部１８での表示を実行させると共にＣＰＵ１１は、見出し語情報と検索結果としての辞書情報とを取り纏めて所定のデータフォーマットでデータパケット化し、ホストであるデータプロジェクタ２からの指示により、ＵＳＢインターフェイス１７よりＵＳＢケーブルＵＣで接続されているデータプロジェクタ２へ送信した後（ステップＳ３０４）、再び上記ステップＳ３０２からの処理に戻り、次の見出し語の入力に備える。
【００６６】
一方のデータプロジェクタ２では、処理当初にＵＳＢインターフェイス３２によりＵＳＢケーブルＵＣを介して電子辞書１が接続されているか否かを、例えばＵＳＢホストコントローラのＥＨＣＩ（登録商標）規格に則った機種属性ＩＤ情報が用いられているか否かにより判断する（ステップＳ１０１）。
【００６７】
ここで電子辞書が接続されていないと判断した場合には、入力部２１に入力される画像信号に基づいた通常の投影動作を実行するが、本実施形態ではその動作の説明を省略する。
【００６８】
また、上記ステップＳ１０１で電子辞書１が接続されていると判断すると、次いで電子辞書１から文字情報によるデータ受信があるのを待機する（ステップＳ１０２）。
【００６９】
そして、電子辞書１から文字情報によるデータの受信があると、上記ステップＳ１０２でそれを判断し、受信した文字情報中の先頭に位置する、見出し語情報部分の文字データを用いて、上記ＬＡＮインターフェイス３３によりＬＡＮケーブルＬＣを介してデータベースサーバ３に検索を依頼する（ステップＳ１０３）。
【００７０】
そして、データベースサーバ３に蓄積されている、上記見出し語情報に該当するレコードを検索結果として取得する（ステップＳ１０４）。
【００７１】
取得したレコードを展開して、予め用意している所定のフォーマットに従うように配置した画像データを投影画像処理部２２で作成させる（ステップＳ１０５）。
【００７２】
この際、１つの画像を、電子辞書１からの文字情報を表示する電子辞書エリアＡ１と、データベースサーバ３からのレコードを表示するデータベースサーバエリアＡ２の２つの領域に分割する。具体的な配置としては、例えば、矩形の画像中の上端側に電子辞書エリアＡ１を配置し、他の大部分をデータベースサーバエリアＡ２として、データベースサーバエリアＡ２内で１つのレコードに基づく画像を選択的に表示するようなものが考えられる。
【００７３】
画像データを作成すると、次いでその作成した画像データにより表示素子２３を駆動することで、スクリーンＳＣに向けて当該画像の投影を行なう（ステップＳ１０６）。
【００７４】
図６は、このときスクリーンＳＣで投影される画像を例示する。画面の上端に位置する電子辞書エリアＡ１で、電子辞書１から得た文字情報の一部を展開して投影している。同エリアＡ１の右端側では、エリアの大きさが足りないためにまだ投影されていない情報があることを継続マークＣＴ２により表現している。
【００７５】
残るデータベースサーバエリアＡ２では、データベースサーバ３から３つのレコードを所得し、そのうちの１つ、「馬の各部名称の画像」を前面に配置した画像を投影している状態を示す。
【００７６】
このように電子辞書１から得た文字情報とデータベースサーバ３から得たレコードとに基づいた画像を投影した状態で、次の電子辞書１からの情報受信に備えて再び上記ステップＳ１０２からの処理に戻る。
【００７７】
なお、上記図６に示したようにデータベースサーバエリアＡ２で複数のレコードから１つを選択的に投影している状態で、その時点では投影されていない他のレコードの投影内容を切換えるためには、例えばデータプロジェクタ２本体のキー操作部あるいはリモートコントローラで投影画像中にポインタを投影させるためのキー操作を行なった後、投影画像中に合成して投影されたポインタの位置を、代わって投影させたい他のレコードを指示する位置までカーソルキー操作により移動させた後、「決定」キーを操作することで実現可能となる。
【００７８】
なお、上記投影画像中でのポインタの投影、及び移動は、投影画像処理部２２が作成する画像データ中にポインタの画像データを重畳することで実行される。
【００７９】
また、上記図６では破線で示しているが、投影画像における電子辞書エリアＡ１とデータベースサーバエリアＡ２との境界ＢＬを明確に投影し、且つ境界ＢＬの位置をユーザが任意に移動可能な機能を有するものとしても良い。
【００８０】
このような機能を実現することにより、電子辞書エリアＡ１で投影される画像の内容とデータベースサーバエリアＡ２で投影される画像の内容とに応じて投影画像処理部２２が作成する画像を、ユーザが所望する側の画像に応じたエリア配分とすることで、電子辞書１から得た文字情報とデータベースサーバ３から得たレコードの情報を任意に取捨選択できる。
【００８１】
以上詳記した如く本実施形態によれば、電子辞書１を単にスタンドアローンの電子間機器として使用するだけではなく、使用環境を拡大して、より多くのユーザ間で知識を共有することが可能となる。
【００８２】
なお上記実施形態では、電子辞書１とデータプロジェクタ２とをＵＳＢ接続し、またデータプロジェクタ２とデータベースサーバ３とをイーサネット（登録商標）によりＬＡＮで接続するものとして説明したが、本発明はこれに限ることなく、各機器間の接続技術やネットワークの規模等を限定するものではない。
【００８３】
その他本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００８４】
１…電子辞書、２…データプロジェクタ、３…データベースサーバ、１１…ＣＰＵ、１２…プログラムメモリ、１２ａ…辞書データベース、１２ａ１〜１２ａ３…辞書コンテンツ、１２ａＮ…辞書名情報、１２ｂ…各種処理プログラム、１３…メインメモリ、１４…キー入力部、１５…表示駆動部、１６…タブレット制御部、１７…ＵＳＢインターフェイス（Ｉ／Ｆ）、１８…表示部、１９…タブレット入力部、２１…入力部、２２…投影画像処理部、２３…表示素子、２４…光源部、２５…ミラー、２６…投影レンズユニット、２７…光源駆動部、２８…ＣＰＵ、２９…メインメモリ、３０…プログラムメモリ、３１…操作部、３２…ＵＳＢインターフェイス（Ｉ／Ｆ）、３３…ＬＡＮインターフェイス（Ｉ／Ｆ）、３４…音声駆動部、３５…スピーカ、Ａ１…電子辞書エリア、Ａ２…データベースサーバエリア、ＢＬ…エリア境界、ＬＣ…ＬＡＮケーブル、Ｎ…ネットワーク（ＬＡＮ）、ＳＢ１，ＳＢ２…システムバス、ＳＣ…スクリーン、ＵＣ…ＵＳＢケーブル。
【図１】
0005573368.tif 000002
【図２】
0005573368.tif 000003
【図３】
0005573368.tif 000004
【図４】
0005573368.tif 000005
【図５】
0005573368.tif 000006
【図６】
0005573368.tif 000007